【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  印刷ジョブのジョブコマンドとジョブデータとを分離して受信する印刷ジョブ処理装置であって、
ジョブコマンドを前記ジョブコマンドにかかる印刷ジョブのジョブデータを識別するためのジョブデータ識別データとともに印刷ジョブ送信装置から受信するジョブコマンド受信手段と、
ジョブデータを印刷ジョブ送信装置から受信するジョブデータ受信手段と、
前記ジョブデータ識別データに基づいて前記ジョブデータ受信手段により受信したジョブデータが前記ジョブコマンドにかかる印刷ジョブのジョブデータであるか否かを検証するジョブデータ検証手段と、
前記ジョブデータ受信手段により受信したジョブデータが前記ジョブコマンドにかかる印刷ジョブのジョブデータであることが検証された場合に前記ジョブコマンドにかかる印刷ジョブを処理する印刷ジョブ処理手段と、
を有することを特徴とする印刷ジョブ処理装置。
【請求項２】  前記ジョブコマンドにかかる印刷ジョブのジョブ識別子を前記印刷ジョブ送信装置に送信するジョブ識別子送信手段をさらに有し、
前記ジョブデータ受信手段は、ジョブデータをジョブ識別子とともに受信するものであり、
前記ジョブデータ検証手段は、前記ジョブ識別子にかかる印刷ジョブのジョブデータ識別データに基づいて前記ジョブデータ受信手段により受信したジョブデータの検証を行うものである、
請求項１に記載の印刷ジョブ処理装置。
【請求項３】  前記ジョブデータ識別データは、特定の暗号化方法により前記ジョブデータから前記ジョブデータの特徴に基づいて作成された一意的な暗号データであり、
前記ジョブデータ検証手段は、前記ジョブデータ受信手段により受信したジョブデータから前記ジョブデータ識別データを作成した暗号化方法により暗号データを作成して前記ジョブデータ識別データと照合することにより前記ジョブデータ受信手段により受信したジョブデータの検証を行うものである、
請求項１または２に記載の印刷ジョブ処理装置。
【請求項４】  前記暗号データは前記ジョブデータのメッセージダイジェストである、請求項３に記載の印刷ジョブ処理装置。
【請求項５】  前記印刷ジョブ処理手段は、前記ジョブデータ受信手段により受信したジョブデータが前記ジョブコマンドにかかる印刷ジョブのジョブデータであることが検証された場合に前記ジョブコマンドに基づいて前記ジョブデータを印刷出力するものである、請求項１〜４のいずれか１項に記載の印刷ジョブ処理装置。
【請求項６】  前記印刷ジョブ処理手段は、前記ジョブデータ受信手段により受信したジョブデータが前記ジョブコマンドにかかる印刷ジョブのジョブデータであることが検証された場合に前記ジョブコマンドおよび前記ジョブデータを印刷装置に送信するものである、請求項１〜４のいずれか１項に記載の印刷ジョブ処理装置。
【請求項７】  印刷ジョブのジョブコマンドとジョブデータを分離して送信する印刷ジョブ送信装置であって、
ジョブコマンドおよびジョブデータを作成する印刷ジョブ作成手段と、
前記ジョブデータを識別するためのジョブデータ識別データを作成するジョブデータ識別データ作成手段と、
前記ジョブコマンドを前記ジョブデータ識別データとともに印刷ジョブ処理装置に送信するジョブコマンド送信手段と、
前記ジョブデータを前記ジョブ処理装置に送信するジョブデータ送信手段と、
を有することを特徴とする印刷ジョブ送信装置。
【請求項８】  前記ジョブコマンドにかかる印刷ジョブのジョブ識別子を前記印刷ジョブ処理装置から受信するジョブ識別子受信手段をさらに有し、
前記ジョブデータ送信手段は、前記ジョブデータを前記ジョブ識別子とともに送信するものである、
請求項７に記載の印刷ジョブ送信装置。
【請求項９】  前記ジョブデータ識別データは、特定の暗号化方法により前記ジョブデータから前記ジョブデータの特徴に基づいて作成された一意的な暗号データである、
請求項７または８に記載の印刷ジョブ送信装置。
【請求項１０】  前記暗号データは前記ジョブデータのメッセージダイジェストである、請求項９に記載の印刷ジョブ送信装置。
【請求項１１】  印刷ジョブのジョブコマンドとジョブデータとを分離して送受信する印刷システムであって印刷ジョブ送信装置と印刷ジョブ処理装置とがネットワークを介して相互に通信可能に接続されてなり、
前記印刷ジョブ送信装置は、
ジョブコマンドおよびジョブデータを作成する印刷ジョブ作成手段と、
前記ジョブデータを識別するためのジョブデータ識別データを作成するジョブデータ識別データ作成手段と、
前記ジョブコマンドを前記ジョブデータ識別データとともに印刷ジョブ処理装置に送信するジョブコマンド送信手段と、
前記ジョブデータを前記ジョブ処理装置に送信するジョブデータ送信手段と、
を有し、
前記印刷ジョブ処理装置は、
前記ジョブコマンドを前記ジョブデータ識別データとともに前記印刷ジョブ送信装置から受信するジョブコマンド受信手段と、
ジョブデータを印刷ジョブ送信装置から受信するジョブデータ受信手段と、
前記ジョブデータ識別データに基づいて前記ジョブデータ受信手段により受信したジョブデータが前記ジョブコマンドにかかる印刷ジョブのジョブデータであるか否かを検証するジョブデータ検証手段と、
前記ジョブデータ受信手段により受信したジョブデータが前記ジョブコマンドにかかる印刷ジョブのジョブデータであることが検証された場合に前記ジョブコマンドにかかる印刷ジョブを処理する印刷ジョブ処理手段とを有することを特徴とする、
印刷システム。
【請求項１２】  印刷ジョブのジョブコマンドとジョブデータとを分離して受信する印刷ジョブ処理方法であって、
ジョブコマンドを前記ジョブコマンドにかかる印刷ジョブのジョブデータを識別するためのジョブデータ識別データとともに受信するジョブコマンド受信ステップと、
ジョブデータを受信するジョブデータ受信ステップと、
前記ジョブデータ識別データに基づいて前記ジョブデータ受信ステップにより受信したジョブデータが前記ジョブコマンドにかかる印刷ジョブのジョブデータであるか否かを検証するジョブデータ検証ステップと、
前記ジョブデータ受信ステップにより受信したジョブデータが前記ジョブコマンドにかかる印刷ジョブのジョブデータであることが検証された場合に前記ジョブコマンドにかかる印刷ジョブを処理する印刷ジョブ処理ステップと、
を有することを特徴とする印刷ジョブ処理方法。
【請求項１３】  印刷ジョブのジョブコマンドとジョブデータを分離して送信する印刷ジョブ送信方法であって、
ジョブコマンドおよびジョブデータを作成する印刷ジョブ作成ステップと、
前記ジョブデータを識別するためのジョブデータ識別データを作成するジョブデータ識別データ作成ステップと、
前記ジョブコマンドを前記ジョブデータ識別データとともに送信するジョブコマンド送信ステップと、
前記ジョブデータを送信するジョブデータ送信ステップと、
を有することを特徴とする印刷ジョブ送信方法。
【請求項１４】  印刷ジョブのジョブコマンドとジョブデータとを分離して送受信する印刷システムにおける印刷方法であって、前記印刷システムは印刷ジョブ送信装置と印刷ジョブ処理装置とがネットワークを介して相互に通信可能に接続されてなり、
前記印刷ジョブ送信装置が、ジョブコマンドおよびジョブデータを作成する印刷ジョブ作成ステップと、
前記印刷ジョブ送信装置が、前記ジョブデータを識別するためのジョブデータ識別データを作成するジョブデータ識別データ作成ステップと、
前記印刷ジョブ送信装置が、前記ジョブコマンドを前記ジョブデータ識別データとともに印刷ジョブ処理装置に送信するジョブコマンド送信ステップと、
前記印刷ジョブ処理装置が、前記ジョブコマンドを前記ジョブデータ識別データとともに前記印刷ジョブ送信装置から受信するジョブコマンド受信ステップと、
前記印刷ジョブ送信装置が、前記ジョブデータを前記ジョブ処理装置に送信するジョブデータ送信ステップと、
前記印刷ジョブ処理装置が、ジョブデータを印刷ジョブ送信装置から受信するジョブデータ受信ステップと、
前記印刷ジョブ処理装置が、前記ジョブデータ識別データに基づいて前記ジョブデータ受信ステップにより受信したジョブデータが前記ジョブコマンドにかかる印刷ジョブのジョブデータであるか否かを検証するジョブデータ検証ステップと、
前記印刷ジョブ処理装置が、前記ジョブデータ受信ステップにより受信したジョブデータが前記ジョブコマンドにかかる印刷ジョブのジョブデータであることが検証された場合に前記ジョブコマンドにかかる印刷ジョブを処理する印刷ジョブ処理ステップとを有することを特徴とする、
印刷方法。
【請求項１５】  印刷ジョブのジョブコマンドとジョブデータとを分離して受信する印刷ジョブ処理プログラムであって、
ジョブコマンドを前記ジョブコマンドにかかる印刷ジョブのジョブデータを識別するためのジョブデータ識別データとともに受信するジョブコマンド受信ステップと、
ジョブデータを受信するジョブデータ受信ステップと、
前記ジョブデータ識別データに基づいて前記ジョブデータ受信ステップにより受信したジョブデータが前記ジョブコマンドにかかる印刷ジョブのジョブデータであるか否かを検証するジョブデータ検証ステップと、
前記ジョブデータ受信ステップにより受信したジョブデータが前記ジョブコマンドにかかる印刷ジョブのジョブデータであることが検証された場合に前記ジョブコマンドにかかる印刷ジョブを処理する印刷ジョブ処理ステップと、
を印刷ジョブ処理装置に実行させることを特徴とする印刷ジョブ処理プログラム。
【請求項１６】  請求項１５に記載の印刷ジョブ処理プログラムを記録したコンピュータ読み取り可能な記録媒体。
【請求項１７】  印刷ジョブのジョブコマンドとジョブデータを分離して送信する印刷ジョブ送信プログラムであって、
ジョブコマンドおよびジョブデータを作成する印刷ジョブ作成ステップと、
前記ジョブデータを識別するためのジョブデータ識別データを作成するジョブデータ識別データ作成ステップと、
前記ジョブコマンドを前記ジョブデータ識別データとともに送信するジョブコマンド送信ステップと、
前記ジョブデータを送信するジョブデータ送信ステップと、
を印刷ジョブ送信装置に実行させることを特徴とする印刷ジョブ送信プログラム。
【請求項１８】  請求項１７に記載の印刷ジョブ送信プログラムを記録したコンピュータ読み取り可能な記録媒体。